(57)【要約】 【課題】不確定多数の提供者による統計テーマに対し、不確定多数の回答者による統計データによるデータベースを構築するシステムの具現化。【解決手段】統計データベースにアクセスするユーザーに、情報を提供する代わりに、その統計テーマに関するアンケートに回答をもらうことで、一次データを収集し、統計データの母数を増やす。ユーザーには、アンケートの回答が、統計データと比較し、どのように違うかを示すことで、ユーザーの満足度を高める。システムを構築するに必要な諸機能とデータベースをサーバーとしてインターネット環境に接続する。ユーザーはインターネット環境を介して統計データサービスシステムにアクセスする。【選択図】図１
2013152499.tif 000002
【特許請求の範囲】
【請求項１】
インターネット環境を介して特定のサービスXXXを提供する｛ソフトウェアとハードウェアからなる機能｝をXXXサーバーとし、
特定の｛統計の主題｝とその主題に関する｛1個または複数個の属性｝を統計テーマとし、
特定の｛統計テーマ｝の提供者をスポンサーとし、
スポンサーの対象者は、インターネット環境を介して市場に開放されていて、不確定多数であるとし、
特定の統計テーマに関する｛統計処理の元になるデータ｝を一次データとし、
｛特定の統計テーマ｝に関する一次データを｛任意ではあるが特定の手法に従って統計処理した結果｝を二次データとし、
｛｛統計テーマ｝の集まりと｛一次データ｝の集まりと｛二次データ｝の集まり｝をデータベースとし、
｛統計テーマのデータベースの管理を司る機能｝と｛一次データのデータベースの管理を司る機能｝と｛二次データのデータベースの管理を司る機能｝を｛データベースサーバー｝とし、
データベースの利用者をユーザーとし、
ユーザーの対象者は、インターネット環境を介して市場に開放されていて、不確定多数であるとし、
ユーザーが知りたい｛特定の統計テーマ｝の二次データに関して、ユーザーが持つコンピューターから｛インターネット環境を介してデータベースを検索閲覧できるサービスの提供を司る機能｝を｛データベース検索サーバー｝とし、
一次データの提供者をアプリカントとし、
｛特定の統計テーマ｝に関し、アプリカントに回答を求めるための｛一次データの入力フォーマット｝をアンケートとし、
｛特定の統計テーマ｝に関し、インターネット環境を介して｛｛アプリカントのコンピューターにアンケートが表示され｝、｛そのアンケートにアプリカントが回答できる｝サービスの提供を司る機能｝を｛アンケートサーバー｝とし、
ユーザーとアプリカントは一般的に同一の者であるので、一般的には｛ユーザーまたはアプルカント｝を｛ユーザー／アプリカント｝とし
あるユーザーが、｛特定の統計テーマ｝に関する統計データを検索し閲覧する際、｛二次データの閲覧許可の交換条件として、そのユーザーに、その統計テーマについてのアンケートの求めの実行を司る機能｝を｛交換条件提示サーバー｝とし、
あるアプリカントが｛特定の統計テーマ｝のアンケートに回答した際、一次データの提供の代償として、そのアプリカントへ、｛そのアプリカントによって更新される｛前かまたは後｝の、その統計テーマに関する二次データ｝と｛そのアプリカントが提供したアンケートの回答｝との比較結果の提供を司る機能を｛アプリカント評価サーバー｝とし、
ユーザー／アプリカントの対象者は、インターネット環境を介して市場に開放されていて、不確定多数であるとし、
｛データベース｝と｛｛データベースサーバー｝と｛データベース検索サーバー｝と｛アンケートサーバー｝と｛交換条件提示サーバー｝と｛アプリカント評価サーバー｝｝の所有者をサプライヤーとし、
スポンサーとサプライヤーは一般的には別者であるが、特別な場合として同一者でもあるものとし、
｛｛スポンサー｝と｛ユーザー／アプリカント｝｝が利用するところの、｛サプライヤーが提供する｛データベース｝と｛データベースサーバー｝と｛データベース検索サーバー｝と｛アンケートサーバー｝と｛アプリカント評価サーバー｝と｛交換条件提示サーバー｝｝が存在することを第1の特徴とし、
｛スポンサーが提供するところの｛統計テーマ｝｝がデータベースに存在することを第2の特徴とし、
｛特定の統計テーマ｝に関し、｛｛統計データ｝を閲覧する｛ユーザー｝｝と｛｛アンケート｝に回答する｛アプリカント｝｝を同一者にすべく、｛｛アンケート｝への回答を条件に｛｛統計データ｝の閲覧を許可する｝旨の内容が｛交換条件提示サーバー｝に存在することを第3の特徴とし、
｛複数のユーザー／アプリカント｝の回答から得た｛一次データ｝と｛｛一次データ｝から抽出された二次データ｝がデータベースに存在することを第４の特徴とし、
｛ユーザー／アプリカントのコンピューター｝と｛データベース｝と｛データベースサーバー｝と｛データベース検索サーバー｝と｛アンケートサーバー｝と｛交換条件提示サーバー｝と｛アプリカント評価サーバー｝がインターネット環境を介して機能することを第５の特徴とし、
上記、第１と第２と第３と第４と第５の特徴を有する、統計データベース構築システム。
【請求項２】
上記請求項１に定義する、スポンサーが提供する｛統計テーマ｝に関し、｛不確定多数のスポンサー｝から｛｛不確定多数の統計テーマ｝についてのアンケート｝の収集を司る機能を｛統計テーマ収集管理サーバー｝とし、
｛統計テーマ収集管理サーバー｝はサプライヤーが所有するものとし、
｛｛スポンサーが持つ統計テーマ｝と｛その統計テーマに関する統計処理方法｝｝を記入するための様式をフォーマットとし、
｛統計テーマ収集管理サーバー｝は、あるスポンサーからのアクセスに対して、｛スポンサーのコンピューター｝へ｛フォーマットの提示｝と｛システムの利用条件の提示｝をし、利用に関する手続きの管理を司る機能を有するものとし、
サプライヤーが提供し、スポンサーが利用するところの｛統計テーマ収集管理サーバー｝が存在することを第６の特徴とし、
請求項１の第５の特徴に加え、｛スポンサーのコンピューター｝と｛統計テーマ収集管理サーバー｝がインターネット環境を介して機能することを第７の特徴とし、
｛請求項１の第１と第２と第３と第４｝の特徴と、｛上記第６と第７｝の特徴を有する統計データベース構築システム。
【請求項３】
｛｛請求項１に定義する、特定の統計テーマに関する｛｛一次データ｝または｛二次データ｝または｛一次データと二次データ｝｝｝をデータとし、
データの所有者が｛｛サプライヤー｝または｛スポンサー｝または｛サプライヤーとスポンサー｝｝であるものとし、
データ提供の提供を求める者をクライアントとし、
クライアントの求めに応じてサプライヤーがデータを提供するに際し、データの所有者が求める条件を提示し、データの授受の管理を司る機能を｛データ提供管理サーバー｝とし、
｛データ提供管理サーバー｝の所有者はサプライヤーであるものとし、
｛データ提供管理サーバー｝が存在することを第８の特徴とし、
請求項１の第５の特徴に加え、｛データ提供管理サーバー｝がインターネット環境で機能することを第９の特徴とし、
｛請求項１の第１と第２と第３と第４｝の特徴と、｛上記第８と第９｝の特徴を有する統計データベース構築システム。
【請求項４】
請求項２に定義する｛統計テーマ収集管理サーバー｝に関し、
スポンサーがサプライヤーに対し｛統計テーマ｝の提供を求める際、サプラーヤーがシステムの｛利用と利用料｝に関する条件を提示し、スポンサーがその条件に同意することで、スポンサーとサプライヤーとの間でシステムの｛利用と利用料｝に関する契約が成立すべく、｛統計テーマ収集管理サーバー｝が契約手続きの管理を司る機能を有することを第１０の特徴とし、
｛請求項１の第１と第２と第３と第４｝の特徴と｛請求項２の第６と第７｝の特徴と、上記第１０の特徴を有する統計データベース構築システム。
【請求項５】
請求項３に定義する｛データ提供管理サーバー｝に関し、
クライアントがサプライヤーに対しデータの提供を求める際、システムの利用条件として、サプラーヤーがシステムの｛利用と利用料｝に関する条件を提示し、クライアントがその条件に同意することで、クライアントとサプライヤーとの間でシステムの｛利用と利用料｝契約が成立すべく、｛データ提供管理サーバー｝が契約手続きの管理を司る機能を有することを第１１の特徴とし、
｛請求項１の第１と第２と第３と第４｝の特徴と｛請求項３の第８と第９｝の特徴と、上記第１１の特徴を有する統計データベース構築システム。
【請求項６】
ユーザーが統計データベースを閲覧する際、ユーザーが閲覧中の画面に表れる広告表示の広告主をアドバータイザーとし、
アドバータイザーは｛スポンサーとは一般的には別物｝であるが特別な場合としてスポンサーがアドバータイザーと同一者でもあるものとし、
広告アイテムの収集の管理を司る機能を｛広告管理サーバー｝とし、
広告管理サーバーはサプライヤーが所有するものとし、
｛広告管理サーバー｝は、アドバータイザーの求めに応じ、サプライヤーが広告スペースを提供するに際し、サプラーヤーがアドバータイザーに、システムの｛利用と利用料｝に関する条件を提示し、アドバータイザーがその条件に同意することで、アドバータイザーとサプライヤーとの間で｛広告に関するシステムの｛利用と利用料｝の契約｝が成立すべく｛契約手続きの管理を司る機能｝と｛閲覧画面への広告場面の決定を司る機能｝を有するものとし、
サプライヤーが提供し、アドバータイザーが利用するところの｛広告管理サーバー｝が存在することを第１２の特徴とし、
請求項１の第５の特徴に加え、｛アドバータイザーのコンピューター｝と｛広告管理サーバー｝がインターネット環境を介して機能することを第１３の特徴とし、
｛請求項１の第１と第２と第３と第４｝の特徴と、｛上記第１２と第１３｝の特徴を有する統計データベース構築システム。
【請求項７】
請求項１から請求項６までに定義する統計データベース構築システムのひとまとまりの統計データベース構築システムを｛1個のシステム｝とし、｛1個のシステム｝がひとまとまりのシステムとしての｛番号｝または｛名称｝または｛番号と名称｝を持つことを第１４の特徴とし、
インターネット環境を介して｛1個のシステム｝にアクセスする、他の任意のシステムを｛他のシステム｝とし、
｛｛他のシステム｝と｛1個のシステム｝｝の関係が、｛｛スポンサー  または  クライアント  または  アドバータイザー｝と｛1個のシステム｝｝との関係と同様に、｛1個のシステム｝と｛他のシステム｝との間で｛データ授受のサービスができる｝機能を有することを第１５の特徴とし、
第１４と第１５の特徴を有する統計データベース構築システム。
【発明の詳細な説明】
【技術分野】
【０００１】
請求項を含む全文を通じ、｛｝内の内容は｛｝外の内容に優先して意味を持つものとする。
XXXサーバーとはインターネット環境を介して特定のサービスXXXを提供する｛ソフトウェアとハードウェアからなる機能｝とする。
サプライヤーとは、サーバーの所有者とする。
スポンサーとは、統計テーマの提供者とする。
ユーザーとは、特定の統計テーマに関し、その統計データの閲覧者とする
アプリカントとは、特定の統計テーマの一次データの提供者とする。
ユーザー／アプリカントとはユーザーとアプリカントが同一者である場合のユーザーでありアプリカントであるとする。
アドバータイザーとは、システムを広告メディアとして使う、その利用者とする
請求項で定義された用語については以下の説明でも同様であるものとする。
【０００２】
統計データ収集方法
統計データベース構築方法
サーバー（ソフトウェア、データ）
インターネット環境
【背景技術】
【０００３】
本案発明は下記の公知の技術やノウハウを応用する。
一般的に、特定の統計テーマに関する統計結果はアンケートによって一次データが収集され、アンケートの回答をベースにして、統計処理がなされる。
一次データは、｛アンケート用紙への回答を集計する作業｝｛電話での問い合わせによる回答を集計する作業｝｛公共機関が把握する税などの履歴を集計する作業｝によるものなどが代表的である。
【発明の概要】
【発明が解決しようとする課題】
【０００４】
次の第１と第２と第3の課題がある。
第１の課題は、｛少なくとも、一次データの収集や集計に人手を介することなく｝、｛不確定多数の統計テーマを不確定多数のアプリカントによるアンケートの回答｝により膨大な統計データベースを構築する手法でなければならない。
【０００５】
第２の課題は｛膨大な一次データの収集に要する費用の賄い｝の手法である。
システムを維持発展させるに必要な費用の調達は極めて重要である。人手の介入
は一時的には解決の方法はなくはないが、継続的にとなると大きな障壁となる。
システムを陳腐化させず、維持発展させるには、常時、システムへのメンテナンスが必要である。併せて、｛資金調達とその調達コスト｝も何らかの安い費用で解決されなければならない。
第2の課題は第1の課題であるシステムを構築する技術的課題よりも難しい。
【０００６】
第３の課題は、統計データベースの構築が無理なく発展的に継続するには統計データベースが市場性を持つかどうかにかかっている。統計データベースが市場性を持つかどうかは、｛集められた統計テーマ群の質｝と｛統計データベースの母数が適切な水準であること｝と｛統計データそのものの質｝が大きなファクターである。
往々にして、経済効果をもたらさないシステムは形骸化され陳腐化する傾向にあるが、逆の場合は発展的に継続的にメンテナンスが加えられ、常に活性的で市場のニーズに適応できる傾向が強い。
【０００７】
本案発明は、｛この統計データベースの構築に必要な一次データ｝の｛供給の障壁｝を乗り越える手法を含む｛インターネット環境の上に機能させるシステム｝に関する。
【課題を解決するための手段】
【０００８】
本案発明のシステムは、ある統計テーマに関し、その統計データを閲覧したいユーザーが、その統計データの閲覧の条件として、その統計テーマに関するアンケートへの回答の依頼を司る機能を持つ。
同時に、
ユーザー／アプリカントが提供したアンケートの回答が、｛蓄積されている統計データ、即ち一種の平均データ｝と比較して、どの位置にあるかを知ることができるサービスの機能を持つ。この機能は、ユーザー／アプリカントのアンケートへの回答の満足度を高め、一次データ収集の障壁を著しく軽減する。
この機能により、ユーザー／アプリカントの数を増やし、結果、スポンサーによる統計テーマの提供をも促進し、統計データベースを継続的に発展的に自動構築させようとするものである。
【０００９】
一方、システムの維持管理に必要な費用の調達は、システム運用の成果物を資源とする、以下の第１と第２と第３の付加価値を見込むことができる。それぞれの異なる付加価値に対応し商取引を自動化させる機能をシステムに組み込むことで資金調達を円滑にしようとするものである。
第１に、｛特定のスポンサーが持つ統計テーマに関する統計結果｝をスポンサーから見た付加価値。
第２に、｛特定の統計テーマに関して得られた｛一次データと二次データ｝｝のクライアントから見た付加価値
第３に、｛システムを広告媒体｝とする、アドバータイザーから見た付加価値
【発明の効果】
【００１０】
以下の第１から第６の効果がある。
第1に、自由市場を中心に、ローカルエリア、グローバルエリアにかかわらず、不確定多数のスポンサーから得られる不確定多数の統計テーマについて不確定多数のアプリカントによるアンケートへの積極的な回答から膨大な母数の統計データベースを自動的に構築することができる。
【００１１】
第２に、統計のアンケートを広範囲から集める、という従来ならば特定の経験者や業者でなければできなかった仕事が誰にも簡単にできるようになる。例えば、全く経験のない外国の市場からの統計データの収集についても、個人レベルで簡単にできるようになる。
【００１２】
第３に、集められた膨大な統計データは統計処理の方法によっては、複雑な問題の解決策のリサーチなど、利用範囲を大幅に拡大する可能性を持つ。
【００１３】
第４に、不確定多数のテーマに関する不確定多数の回答者による膨大な統計データの利用が市場に開放されることは、新たな統計処理の手法や統計結果の利用を生み出す可能性があり｛新たなデシジョンと新たなビジネス｝を生み出す可能性を持つ。
【００１４】
第５に、スポンサーが求める特定の統計テーマに関し、｛サプライヤーのシステムの運用によって得られる統計データを付加価値とする商取引｝が成り立ち、商取引のシステムを統計データベースシステムに接続し、その運用をビジネスとすることができる。
【００１５】
第６に、クライアントが求める統計データに関し、｛サプライヤーのシステムの運用によって得られる統計データを付加価値とする商取引｝が成り立ち、商取引のシステムを統計データベースシステムに接続し、その運用をビジネスとすることができる。
【００１６】
第７に、｛システムの広告メディア性を付加価値とする商取引｝が成り立ち、商取引のシステムを統計データベースシステムに接続し、その運用をビジネスとすることができる。
【図面の簡単な説明】
【００１７】
【図１】本案発明の一実施例の構造説明図である。
【図２】本案発明の統計テーマのデータベース構造の一実施例の説明図である。
【図３】本案発明の一次データのデータベース構造の一実施例の説明図である。
【図４】本案発明の二次データのデータベース構造一実施例の説明図である。
【図５】本案発明のアプリカント評価サーバーの機能一実施例の説明図である。
【発明を実施するための最良の形態】
【００１８】
サプライヤーは統計データベースシステムを市場に提供する。
スポンサーは特定の統計テーマについてのアンケートを統計データベースシステムに提供する。
ユーザー／アプリカントは統計データベースシステムの特定の統計データにアクセスし、アンケートの回答を提供し、統計データの提供を受ける。
スポンサーは統計テーマ提供の対価を支払う。
クライアントは統計データ利用の対価を支払う。
アドバータイザーはシステムを広告メディアとしての利用の対価を支払う。
【００１９】
具体的一例として、あるミュージシャンが一つの曲を発表したとする。
そのミュージシャンは市場の反応を確かめるために、自身の楽曲について、市場にアンケートを求めたい場合、そのミュージシャンは自身のコンピューターを使って、本案発明の統計データベースシステムを利用する。そのミュージシャンはアンケートの項目をまとめた上、システムにアクセスし、自身の曲のアンケートを依頼する手続きと、システムの｛利用と利用料の支払い｝に関する手続きを行う。
【００２０】
市場では、｛その曲の市場評価を調べたい、そして、評価をしたい｝という者がいるとする。その人は自分のコンピューターを使って本案発明の統計データベースシステムにアクセスし、その曲のアンケートに回答し、また、その曲の市場評価を知り、また、自分のアンケートの回答との比較をする。
【００２１】
その曲に関する市場の評価を分析するために、その曲の一次データあるいは二次データを欲しい人がいるとする。その人は自分のコンピューターを使って、本案発明の統計データベースにアクセスし、必要な一次データまたは二次データの購入手続きをする。
【００２２】
さらにはこのミュージシャンの統計データへのアクセスの際、その閲覧画面での広告を打ちたい者がいるとする。その人は自分のコンピューターを使って本案発明の統計データベースシステムにアクセスし、打ちたい広告画面の購入手続きをする。
【００２３】
以上は特定の楽曲の評価についての一例であるが、｛行政問題、政策課題、時事問題、社会問題、社会事象、会社、団体、商品、出版物、絵画、料理店、テレビラジオ放送番組、等々｝例を挙げてもきりが無いほど数多くの分野で数多くの統計テーマがグローバルレベルにもローカルレベルに存在し、同時に統計テーマのアンケートへの回答者が存在する。
個々の統計テーマは階層化され分類化されているので、｛横並びあるいは縦並び｝に、｛同類あるいは同階層｝の統計テーマに関する分析が可能である。市場性や企画性や個性など、複数の統計結果に関する、多様な角度からの解析は、より高度な統計処理により、普遍性のある因果関係を見いだす可能性を持つ。少なくとも、｛多くの種類の統計データ｝から｛何らかの普遍性のある因果関係を導き出したい｝というニーズが市場に存在することは確かである。
【実施例】
【００２４】
以下は図面を用いての詳細説明である。
【００２５】
図１は本案発明の一実施例の原理説明図である。
１のData Baseはデータベースであって、｛Theme & Attribute の統計テーマのデータベース｝と｛Primary Data Baseの一次データのデータベース｝と
｛Secondary Data Baseの二次データのデータベース｝からなる。データベースの内容は、いずれもシステムの運用によって得られたデータ群であって、それぞれ｛スポンサーから得られたデータ群｝、｛ユーザー／アプリカントから得られたデータ群｝、｛統計処理結果のデータ群｝
である。
【００２６】
２のData Base Serverはデータベースサーバーである。データベースサーバーは｛統計テーマの収集の工程で発生する統計テーマデータベースの管理｝と｛一次データを収集する工程で発生する一次データベースの管理｝を司る。
【００２７】
３のRetrieval Serverは｛統計データ検索サーバー｝である。このサーバーは、不確定多数の統計テーマを収集し｛管理するに必要な統計テーマの｛階層化と分類化｝｝と｛検索閲覧に必要なサービス｝を司る。
【００２８】
４のQuestionnire Serverは、アンケート収集管理サーバーである。アンケート収集管理サーバーは、ユーザー／アプリカントが検索閲覧しようとする統計テーマに関し｛｛アンケートをユーザー／アプリカントに求め｝、｛アンケートに、ユーザー／アプリカントが回答する｝｝に必要な管理を司る。
【００２９】
５のEvaluation Serverはアプリカント評価サーバーである。このサーバーは、｛｛ユーザー／アプリカントが閲覧を求めている統計テーマの統計結果｝と｛そのユーザー／アプリカントが提供したアンケートの回答｝を比較し｝、｛その比較結果をユーザー／アプリカントへの提供する｝に必要な管理を司る。
【００３０】
６のApplicant Serverは交換条件提示サーバーである。このサーバーは、ユーザーが統計テーマを閲覧に際して、｛そのユーザーに、その統計テーマのアンケートの回答を求め、かつ、ユーザーがアプリカントになってもらう｝に必要な｛手続きや契約｝の管理を司る。
【００３１】
７Sponsor Serverは統計テーマ収集管理サーバーである。このサーバーは、スポンサーが統計テーマを提供しようとする際、｛そのスポンサーに、｛統計テーマに関するフォーマットを示し、そのフォーマットのガイドラインに沿う統計テーマの提供してもらい｝、｛統計テーマの提供に伴うシステムの利用条件を提示し、同意をもらう｝に必要な｛手続きや契約｝の管理を司る。
【００３２】
８のClient Serverはデータ提供管理サーバーである。このサーバーは、クライアントが統計データを利用しようとする際、｛そのクライアントに、システムの｛利用と利用条件｝を提示し、同意をもらう｝に必要な｛手続きや契約｝の実行を司る。
【００３３】
９のAdvertising Serverは広告管理サ−バーである。このサーバーは、アドバータイザーがシステムを広告メディアとして利用しようとする際、｛そのアドバータイザーにシステムの｛利用と利用条件｝を提示し、同意をもらう｝に必要な｛手続きや契約｝の実行を司る。
【００３４】
１０のSponsor PCはスポンサーが操作するコンピューター、
１１のUser/Applicant PCはユーザー／アプリカントが操作するコンピューター、１２のClient PCはクライアントが操作するコンピューター、
１３のAdvertiser PCはアドバータイザーが操作するコンピューターである。
１１から１３の、これらのコンピューターは一般のウェブブラウザの機能を持ち、インターネットの環境で本案発明の統計データベースシステムにアクセスできる機能を持つ。
１４のInternet Systemはインターネット環境である。
１５のExternal Severは他のシステムのサーバーである。
１９１のSupplierはサプライヤー、即ち、１か９までのデータベースおよびサーバーからなる統計処理データベースシステムの所有者である。
１０１のSponsorはスポンサー、
１１１のUser/Applicantはユーザーアプリカント、
１２１のClientはクライアント、
１３１のAdvertiserはアドバータイザー
１５１のSystemは1個の統計データベース構築システムへアクセスする他のシステム
である。
【００３５】
１のデータベースの構造について、以下、図２、図３、図４  に例を用いて説明する。
図２は本案発明の一実施例の図1  の１データベースに含まれる｛統計テーマとその属性｝に関するデータベースの一構成例である。
統計テーマは不確定多数の分野にわたり広範囲になる。どのような統計テーマが存在するか、ユーザー／アプリカントが検索しやすい状態になければならない。
【００３６】
図は表形式になっていて、C1とC2の横軸と、R1からR10までの縦軸を示す。
Theme-j0  は統計テーマj  のデータベースとして機能させるに必要な情報である。
テーマ、テーマの説明、ロケーション情報、サイズ情報、テーマの階層情報、分類情報などが含まれる。
Attribute-jk  は統計テーマj属性k  に関する情報である。
Answer Format-jk  は属性Attribute-jk  の回答形式に関する情報である。
Calculation-Formura-jk  は属性  Attribute-jk  の統計処理方法に関する情報である。
例えば、
表のセルC1-R1のTheme-10は｛｛横軸C1、C2｝｛縦軸R1、R2、R3、R4｝からなる情報セットが、統計テーマ１に関するデータベースとして機能させる｝に必要な情報を持つ。
表のセルC2-R2のAnswer-Format-11は｛Attribute-11  の｛回答形式に関するデータベース｝として機能させる｝に必要な情報である。
表のセルC3-R3のCalculation-Formura-11は｛Attribute-11  の｛統計処理方法に関するデータベース｝として機能させる｝に必要な情報である。
そのほか、同様にそれぞれのセルの内容は、データベースとして機能させるに必要な情報である。
【００３７】
図３は本案発明の一実施例の図1の１データベースに含まれる、一次データのデータベースの構成例である。
図は表形式になっていて、C1とC2の横軸と、R1からR10までの縦軸を示す。
TM-j0-AP-m  は、統計テーマj  に関し｛m番目のアプリカントの一次データがデータベースとして機能する｝に必要な情報である。
ロケーション情報、リンク情報、サイズ情報、などが含まれる。
AT-jk-ANS-m  は、統計テーマj  属性k  に関し、m番目のアプリカントから得たアンケートの回答の一次データ情報である。
例えば、
表のセルC1-R1の  TM-10-AP-001  は、統計テーマ１に関し、｛１番目のアプリカントの回答から得た一次データをデータベースとして機能させる｝に必要な情報である。
表のセルC2-R2の  AT-11-ANS-002  は  統計テーマ１の属性１に関し、２番目のアプリカントの回答から得た一次データである。
それぞれのセルの内容は、それぞれの統計テーマのそれぞれの属性に関し、データベースを機能させるに必要な情報と、アプリカントの回答から得たデータである。
【００３８】
図４は本案発明の一実施例の図1の１データベースに含まれる、二次データのデータベースの一構成例である。
図は表形式になっていて、C1とC2の横軸と、R1からR10までの縦軸を示す。
TM-j0-parameter  は、統計テーマj  に関し｛各属性の二次データの母数に関する情報と、データベースとして機能させる｝に必要な情報である。
ロケーション情報、リンク情報、サイズ情報、などが含まれる。
TM-j0-Average  は、統計テーマj  に関し｛各属性の二次データの平均値計算方法に関する情報｝と、｛データベースとして機能させるに必要な情報｝である。
ロケーション情報、リンク情報、サイズ情報、などが含まれる。
AT-jk-Parameter  は、統計テーマj  属性k  に関し、アプリカントから得たアンケートの回答の母数である。
AT-jk-Average  は、統計テーマj  属性k  に関し、アプリカントから得たアンケートの回答の平均値である。
例えば、
表のセルC1-R2の  AT-11-parameter  は、統計テーマ１の属性１に関する統計データの母数である。
表のセルC2-R2の  AT-11-Average  は  統計テーマ１の属性１に関する統計データの平均値である。
同様に、それぞれのセルの内容は、それぞれの統計テーマのそれぞれの属性に関し、アプリカントの回答から得た二次データである。
【００３９】
図５は本案発明の一実施例の図1のアプリカント評価サーバーEvaluation Serverがアプリカントのコンピューターに表示する画面の一例である。
Theme-jはこのグラフが統計テーマjに関する評価であることを示す。
太幅線のAVERAGEは、太線のグラフが、｛それぞれの属性について統計処理結果が平均値である｝ことを意味する。
中幅線のAPPLICANTは、中幅線のグラフが、統計データベースにアクセスしたアプリカントの、この統計テーマjの各属性の回答結果を示す。
k  が  １，２，３，４，５，６  であるところの  ATjk  と各矢印は、特定の統計テーマjの属性kの表現軸を表す。矢印の軸上の位置は属性kに関するアプリカントの回答から得られた属性の評価尺度である。
ユーザー／アプリカントがこのグラフをみることにより、自身の回答が統計値と比較してどのポジションにあるかを知ることができる。
【００４０】
以下、各請求項についての大まかな説明である。
請求項１は、｛統計データベース構築システム｝の｛システムの機能｝と｛システムの構成｝と｛システムを構成する要素の機能｝とに関する。
請求項２は、｛統計テーマを収集する手法｝に関する
請求項３は、｛統計データの提供を求める者｝への｛統計データの提供サービスの手法｝に関する。
請求項４は、｛統計テーマの提供者｝に対し、｛システムの利用を商取引として管理する手法｝に関する。
請求項５は、｛統計データの需用者｝に対し、｛統計データの利用を商取引として管理する手法｝に関する。
請求項６は、ユーザーの閲覧画面へ広告を表示したいという、システムを広告メディアとして使う広告主への、｛システムの利用を商取引契約として管理する手法｝に関する。
請求項７は、1個の統計データ構築システムを他のシステムが利用する場合の手法に関する
【００４１】
請求項を含め、各データベース、各サーバーの機能と役割を定義しているが、これらの機能がさらに細分化されたサーバーからなるシステムであること、あるいは、これらの機能がさらに統合化されたサーバーからなるシステムであること、については本案の本質とするところではない。本案の本質は｛サーバー単位で機能が分割されていること｝ではなく｛データベースやサーバーとして記述した機能がシステムに存在すること｝である。
【００４２】
以下は請求項１、２、３、４、５、６に関する本案発明の本質である。
サプライヤーが所有する｛データベース｝と｛データベースサーバー｝と｛データベース検索サーバー｝と｛アンケートサーバー｝と｛アプリカント評価サーバー｝と｛統計テーマ収集管理サーバー｝と｛データ提供管理サーバー｝と｛広告管理サーバー｝が機能として存在する。
データベースに｛統計テーマ｝と｛一次データ｝と｛二次データ｝が存在する。
｛データベースサーバー｝は｛一次データの収集と二次データの提供｝を司る機能を持つ。
｛データベース検索サーバー｝はデータベースを検索閲覧できるサービスの提供を司る機能を持つ。
｛アンケートサーバー｝は｛アンケートにアプリカントが回答できる｝サービスの提供を司る機能を持つ。
｛アプリカント評価サーバー｝は｛アプリカントのアンケートの回答｝と｛統計データ｝を比較するサービスの提供を司る機能を持つ。
｛統計テーマ収集管理サーバー｝は統計テーマ、即ちアンケート項目の収集を司る機能を持つ。さらには統計テーマの提供に際し、取引契約の手続きの管理を司る機能を持つ。
｛データ提供管理サーバー｝はデータベースの中のデータの授受の管理を司る機能を持つ。さらにはデータベースのデータの提供に際し、取引契約の手続きの管理を司る機能を持つ。
｛広告管理サーバー｝はアドバータイザーに対しシステムを広告メディアとして提供するに際し、取引契約の手続きを管理する機能を持つ。
｛スポンサー｝と｛ユーザー／アプリカント｝と｛クライアント｝と｛アドバータイザー｝のそれぞれが所有する、ウェブブラウザの機能を持つコンピューターが市場に存在する。
上記の｛データベース｝と｛それぞれのサーバー｝と｛それぞれのコンピューター｝と｛他のシステム｝がインターネット環境を介して機能する。
以上は本案発明の本質である。
【００４３】
以下は、本案発明の本質とするところではない。
｛統計テーマ｝の内容と｛その内容の表現方法または表記方法｝
統計処理計算方法
異常と判断できる一次データの、二次データへの反映を除去する処理
異常と判断できるアクセスを受け付けない処理
以上に関しては本案発明の本質とするところではない。
【産業上の利用可能性】
【００４４】
｛不確定多数のテーマと、不確定多数の閲覧回答者と、不確定多数の統計データ利用者｝によって自動的に構築される｛膨大な基礎データを持つ統計データベース｝は、多様な統計処理結果を生産し、多様なビジネス効果を生み出す可能性を持ち、新たなビジネスチャンスの場を生み出す可能性を持つ。
【００４５】
膨大な基礎データは、これまでには成しえなかった複雑な社会問題や経営課題やビジネス戦略などに、純粋科学的な手法により解決策の指針となるデータを提供する可能性を持つ。さらには、膨大な基礎データを基に、スマートな統計処理結果を提供する新たな手法を生み出す場も生まれ、新たな専門業種を生み出す可能性をも持つ。また、一般市場に解放された統計データベースシステムは、これまで一部の機関でしかなしえなかった統計データの収集分析の仕事を、経験やノウハウを必要とすることなく、本案発明のシステムを利用するだけで行うことができる。
【符号の説明】
【００４６】
１  Data Base      統計データベース
Theme & Attribute  ｛統計テーマとその属性｝のデータ群
Primary Data Base  各統計テーマについての一次データ群
Secondary Data Base各統計テーマについての二次データ群
２  Data Base Server   統計データベースサーバー
３  Retrieval Server   統計データ検索サーバー
４  Questionnaire Server  アンケート収集管理サーバー
５  Evaluation Server  アプリカント評価サーバー
６  Applicant Server   交換条件提示サーバー
７  Sponsor Server 統計テーマ収集管理サーバー
８  Client Server      データ提供管理サーバー
９  Advertiser Server  広告管理サ−バー
１０  Sponsor PC       スポンサーが操作するコンピューター
１１  User Applicant PC    ユーザー／アプリカントが操作するコンピューター
１２  Client PC        クライアントが操作するコンピューター
１３  Advertiser PC    アドバータイザーが操作するコンピューター
１０１  Sponsor        スポンサー
１１１  User／Applicantユーザー／アプリカント
１２１  Client     クライアント
１３１  Advertiser アドバータイザー
１４  Internet Systemインターネット環境
１５  External System外部システムのサーバー
１５１  System         外部システム
１９１  Supplier       サプライヤー
【００４７】
C1，C2         表の横列の順番
R1，R2，R3，R4，R5，R6，R7，R8，R9，R10表の縦列の順番
Theme-j                j番目の統計テーマ
Attribute-jk               j番目の統計テーマに関するk番目の属性
Calculation Fomura-jk  Attribute-jk の二次データの｛算出または決定｝方法
TM-j0-AP-m         j番目の統計テーマのm番目のアプリカントから得た
回答の管理情報
AT-jk-ANS-m        Attribute-jk に関するm番目のアプリカントの回答
TM-j0-Parameter    j番目の統計テーマに関する統計母数の管理情報
TM-jk-Parameter    Attribute-jk  に関する統計母数
TM-j0-Average          j番目の統計テーマに関する統計平均値の管理情報
TM-jk-Average          Attribute-jk  に関する統計平均値
AT-j1，AT-j2，AT-j3，AT-j4，AT-j5，AT-j6   統計テーマjの属性1,2,3,4,5,6
の評価軸
AVERAGE            その線種が、その統計テーマの各属性の統計結果の
平均値を結ぶパターンであることを示す
APPLICANT              その線種が、アクセス中のアプリカントが回答した、
各属性を結ぶパターンであることを示す
【図１】
2013152499.tif 000003
【図２】
2013152499.tif 000004
【図３】
2013152499.tif 000005
【図４】
2013152499.tif 000006
【図５】
2013152499.tif 000007